(57)【要約】【課題】接続環境に関連する画像を表示することが可能な表示装置を提供すること。【解決手段】表示装置１００が、外部機器２００と接続可能な接続端子群１１２を有するインターフェース部１１０と、外部機器２００と接続されている接続端子を判定する接続端子判定部１３０と、当該接続端子において入力されている映像信号の種別を判定する信号種別判定部１４０と、最適端子定義データ１２２を記憶する記憶部１２０と、現在使用されていないより適切な接続端子があるかどうかを判定する最適端子判定部１５０と、より適切な接続端子がある場合、当該接続端子の使用をユーザーに促すための通知情報を生成する通知情報生成部１７０とを含んで構成される。【選択図】図１
2008028976.tif 000002
【特許請求の範囲】
【請求項１】
ユーザーのチャンネル設定操作によって対応付けられた、論理チャンネル番号と、物理チャンネル番号との組み合わせを示すチャンネル定義データを記憶する記憶部と、
前記チャンネル定義データにおける各物理チャンネル番号の放送を受信できるかどうかを判定する判定部と、
受信できない放送がある場合、前記チャンネル設定操作をユーザーに促すための通知情報を生成する通知情報生成部と、
前記通知情報に基づき、前記チャンネル設定操作をユーザーに促す画像を表示する表示部と、
を含むことを特徴とするＴＶ。
【請求項２】
請求項１に記載のＴＶにおいて、
前記画像表示後に前記チャンネル設定操作が行われた場合、前記チャンネル設定操作に応じて前記チャンネル定義データを更新する更新部を含むことを特徴とするＴＶ。
【請求項３】
請求項１、２のいずれかに記載のＴＶにおいて、
前記判定部は、電源投入時に前記放送を受信できるかどうかを判定することを特徴とするＴＶ。
【発明の詳細な説明】
【技術分野】
【０００１】
本発明は、ユーザーに対して通知を行うＴＶに関する。
【背景技術】
【０００２】
ユーザーは、ＤＶＤプレーヤー等の外部機器の接続端子と、ＴＶ等の表示装置の接続端子とをケーブルで接続する。しかし、外部機器と表示装置とを接続する接続端子は、コンポジット端子、Ｓ端子、Ｄ端子等の種々の種類があり、初心者にとってはどの接続端子を使用すればよいかわからずに適当に接続する場合がある。
【０００３】
このような問題を解決するため、特許文献１では、使用すべき接続端子を、画像、音、光のうちの少なくとも１つを用いて指示する表示装置が提案されている。
【０００４】
また、ＴＶの場合、ユーザーが引っ越しを行うと、リモコンボタンに割り当てた物理チャンネルが受信できなくなり、正常に画像を表示できなくなる場合がある。このような場合、ＴＶに詳しいユーザーであれば、特許文献２に記載されたエリアチューニング機能等を用いて物理チャンネルを再設定することができるが、初心者にとっては画像を表示できなくなった理由を理解できなかったり、どのような操作を行えばよいかわからなかったりする。
【特許文献１】特願２００６−４７０９３号公報
【特許文献２】特開平６−２９２０９７号公報
【発明の開示】
【発明が解決しようとする課題】
【０００５】
本発明の目的は、接続環境または設置環境に関連する画像を表示することが可能なＴＶを提供することであり、特に、接続環境または設置環境が変化した場合に、当該変化を検出し、当該変化に関連する画像を表示することが可能なＴＶを提供することである。
【課題を解決するための手段】
【０００６】
上記課題を解決するため、本発明に係る表示装置は、
外部機器と接続可能な接続端子群を有するインターフェース部と、
前記外部機器と接続されている接続端子を判定する接続端子判定部と、
当該接続端子において入力または出力が行われている信号の種別を判定する信号種別判定部と、
前記種別および使用中の接続端子の組み合わせに対するより適切な接続端子が定義された最適端子定義データを記憶する記憶部と、
前記接続端子判定部によって判定された使用中の接続端子と、前記信号種別判定部によって判定された種別と、前記最適端子定義データとに基づき、現在使用されていないより適切な接続端子があるかどうかを判定する最適端子判定部と、
より適切な接続端子がある場合、当該接続端子の使用をユーザーに促すための通知情報を生成する通知情報生成部と、
前記通知情報に基づき、より適切な接続端子の使用をユーザーに促す画像を表示する表示部と、
を含むことを特徴とする。
【０００７】
本発明によれば、表示装置は、信号の種別と使用中の接続端子を判定してより適切な接続端子の使用をユーザーに促す画像を表示することにより、接続環境に関連する画像を表示することができる。
【０００８】
また、前記使用中の接続端子は、アナログ映像入力端子であって、
前記より適切な接続端子は、デジタル映像入力端子であってもよい。
【０００９】
これによれば、表示装置は、アナログ映像入力端子が使用されている場合にデジタル映像入力端子の使用を促す画像を表示することにより、接続環境に関連する画像を表示することができる。
【００１０】
また、前記最適端子判定部は、電源投入時または前記信号の種別が変化した場合に前記より適切な接続端子があるかどうかを判定してもよい。
【００１１】
これによれば、表示装置は、接続環境の変化を検出し、当該変化に関する画像を表示することができる。
【００１２】
また、本発明に係るＴＶは、
ユーザーのチャンネル設定操作によって対応付けられた、論理チャンネル番号と、物理チャンネル番号との組み合わせを示すチャンネル定義データを記憶する記憶部と、
前記チャンネル定義データにおける各物理チャンネル番号の放送を受信できるかどうかを判定する判定部と、
受信できない放送がある場合、前記チャンネル設定操作をユーザーに促すための通知情報を生成する通知情報生成部と、
前記通知情報に基づき、前記チャンネル設定操作をユーザーに促す画像を表示する表示部と、
を含むことを特徴とする。
【００１３】
本発明によれば、ＴＶは、チャンネル定義データにあるチャンネルの放送を受信できない場合にチャンネル設定操作をユーザーに促す画像を表示することにより、設置環境に関連する画像を表示することができる。
【００１４】
また、前記ＴＶは、前記画像表示後に前記チャンネル設定操作が行われた場合、前記チャンネル設定操作に応じて前記チャンネル定義データを更新する更新部を含んでもよい。
【００１５】
これによれば、ユーザーは、チャンネル定義データにあるチャンネルの放送を受信できない場合であっても、よりスムーズにチャンネル定義データを更新し、適切に放送を受信することができる。
【００１６】
また、前記判定部は、電源投入時に前記放送を受信できるかどうかを判定してもよい。
【００１７】
これによれば、ＴＶは、電源投入時に設置環境の変化を検出し、当該変化に関する画像を表示することができる。
【発明を実施するための最良の形態】
【００１８】
以下、本発明を表示装置およびＴＶに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１９】
まず、本発明を表示装置に適用した場合について説明し、次に、本発明をＴＶに適用した場合について説明する。
【００２０】
（適切な接続端子を通知する表示装置についての説明）
図１は、本実施例における表示装置１００の機能ブロック図である。
【００２１】
表示装置１００は、外部機器２００と接続可能な接続端子群１１２を有するインターフェース部１１０と、外部機器２００と接続されている接続端子を判定する接続端子判定部１３０と、当該接続端子において入力されている映像信号の種別を判定する信号種別判定部１４０と、最適端子定義データ１２２を記憶する記憶部１２０とを含んで構成されている。
【００２２】
また、表示装置１００は、接続端子判定部１３０によって判定された使用中の接続端子と、信号種別判定部１４０によって判定された種別と、最適端子定義データ１２２に基づき、現在使用されていないより適切な接続端子があるかどうかを判定する最適端子判定部１５０と、より適切な接続端子がある場合、当該接続端子の使用をユーザーに促すための通知情報を生成する通知情報生成部１７０と、通知情報に基づき、より適切な接続端子の使用をユーザーに促す画像を表示する表示部１９０と、通知情報に基づいて音声を出力する音声出力部１９２とを含んで構成されている。
【００２３】
なお、これらの各部の機能を実装するためのハードウェアとしては以下のものを採用可能である、例えば、インターフェース部１１０としては入出力インターフェース、種々の接続端子、接続端子へのケーブルの挿入を検出するスイッチ等、記憶部１２０としてはＨＤＤ、ＲＯＭ等、接続端子判定部１３０、信号種別判定部１４０、最適端子判定部１５０としてはＣＰＵ等、通知情報生成部１７０としてはＣＰＵ、通知情報生成用データを記憶したＲＯＭ等、表示部１９０としては液晶ディスプレイ等、音声出力部１９２としてはアンプ、スピーカー等を採用可能である。
【００２４】
また、接続端子群１１２は、映像信号を入力するためのＳ端子、Ｄ端子およびコンポジット端子と、音声信号を入力するためのアナログ音声入力端子およびデジタル音声入力端子を有している。もちろん、接続端子群１１２は、これら以外の端子（例えば、コンポーネント端子等）を有してもよい。
【００２５】
また、表示装置１００としては、具体的には、例えば、プロジェクションＴＶ等のＴＶ、プロジェクタ、液晶モニタ等が該当する。
【００２６】
また、最適端子定義データ１２２は、入力されている信号の種別および使用中の接続端子の組み合わせに対するより適切な接続端子が定義されている。
【００２７】
図２は、本実施例における最適端子定義データ１２２の一例を示す図である。
【００２８】
最適端子定義データ１２２では、例えば、コンポジット端子またはＳ端子を介してＤ１映像信号が入力されている場合はＤ端子がより適切な接続端子として定義されており、アナログ映像信号入力用のＤ端子を介してＤ２映像信号が入力されている場合は、デジタル映像信号入力用のＨＤＭＩ端子がより適切な接続端子として定義されている。
【００２９】
次に、本実施例における最適端子通知手順について説明する。
【００３０】
図３は、本実施例における最適端子通知手順を示すフローチャートである。
【００３１】
まず、最適端子判定部１５０は、電圧供給部からの情報に基づいて電源ＯＮになったかどうかを判定するとともに、信号種別判定部１４０からの情報に基づいて映像信号が変更になったかどうかを判定する（ステップＳ１）。
【００３２】
いずれかの判定結果が真である場合、接続端子判定部１３０は、接続端子群１１２のスイッチの状態によってどの接続端子が使用中か判定する（ステップＳ２）。
【００３３】
そして、信号種別判定部１４０は、使用中の接続端子から入力されている信号の種別を判定する（ステップＳ３）。
【００３４】
そして、最適端子判定部１５０は、信号が入力されている接続端子、当該信号および最適端子定義データ１２２に基づき、より適切な接続端子があるかどうかを判定する（ステップＳ４）。
【００３５】
例えば、Ｓ端子を介してＤ１映像信号が入力されている場合、最適端子定義データ１２２では、Ｄ端子がより適切な接続端子として定義されているため、最適端子判定部１５０は、より適切な接続端子があると判定する。
【００３６】
より適切な接続端子がある場合、通知情報生成部１７０は、ユーザーに勧める接続端子を通知するための通知情報を生成し、表示部１９０は、当該通知情報に基づき、通知画像を表示することによってユーザーに勧める接続端子を通知する（ステップＳ５）。
【００３７】
図４は、本実施例における通知画像３００の一例を示す図である。
【００３８】
通知画像３００は、「現在の状態では、Ｄ端子を用いて接続したほうが、よりよい映像を楽しむことができます。Ｄ端子を用いて接続してください。」といったより適切な接続端子の使用をユーザーに促す文字列を示す文字列画像３０２と、接続すべき接続端子を示す接続端子画像３０４を含む。
【００３９】
なお、より適切な接続端子がない場合、表示装置１００は通知（ステップＳ５）を行わず、表示部１９０は、インターフェース部１１０からの映像信号に基づいて画像を表示し、音声出力部１９２は、インターフェース部１１０からの音声信号に基づいて音声を出力する。
【００４０】
以上のように、本実施例によれば、表示装置１００は、信号の種別と使用中の接続端子を判定してより適切な接続端子の使用をユーザーに促す画像を表示することにより、接続環境に関連する画像を表示することができる。これにより、ユーザーは、信号種別や接続端子に詳しくない場合であっても、使用する信号に応じた適切な接続端子を使用することができる。
【００４１】
また、本実施例によれば、表示装置１００は、アナログ映像入力端子（例えば、Ｄ端子等）が使用されている場合にデジタル映像入力端子（例えば、ＨＤＭＩ端子等）の使用を促す画像を表示することにより、接続環境に関連する画像を表示することができる。
【００４２】
また、表示装置１００は、電源がＯＮになった場合または映像信号が変更された場合に通知に関する判定を行うことにより、接続環境が変化した場合に、当該変化を検出し、当該変化に関連する画像を表示することができる。
【００４３】
また、図４に示すように、表示装置１００は、文字列画像３０２だけでなく、接続端子画像３０４も表示することにより、初心者であってもどの接続端子を使用すればよいかわかりやすい。
【００４４】
（チャンネル再設定を促すＴＶについての説明）
次に、チャンネル再設定を促すＴＶについて説明する。
【００４５】
図５は、本実施例におけるＴＶ１０２の機能ブロック図である。
【００４６】
ＴＶ１０２は、リモコン（リモートコントローラ）２１０からの信号を受信し、アンテナ２２０からの信号を入力するインターフェース部１１０と、チャンネル定義データ１２４を記憶する記憶部１２０と、チャンネル定義データ１２４における各物理チャンネル番号の放送を受信できるかどうかを判定する判定部１５２とを含んで構成されている。
【００４７】
また、ＴＶ１０２は、受信できない放送がある場合、チャンネル設定操作をユーザーに促すための通知情報を生成する通知情報生成部１７０と、通知情報に基づき、チャンネル設定操作をユーザーに促す画像を表示する表示部１９０と、音声出力部１９２と、チャンネル定義データ１２４を更新する更新部１６０とを含んで構成されている。
【００４８】
なお、これらの各部の機能を実装するためのハードウェアとしては以下のものを採用可能である、例えば、インターフェース部１１０としては入出力インターフェース、種々の接続端子等、記憶部１２０としてはＨＤＤ、ＲＡＭ等、判定部１５２、更新部１６０としてはＣＰＵ等、通知情報生成部１７０としてはＣＰＵ、通知情報生成用データを記憶したＲＯＭ等、表示部１９０としては液晶ディスプレイ等、音声出力部１９２としてはアンプ、スピーカー等を採用可能である。
【００４９】
また、チャンネル定義データ１２４は、ユーザーのチャンネル設定操作によって対応付けられた、論理チャンネル番号と、物理チャンネル番号との組み合わせを示すデータである。
【００５０】
図６は、本実施例における変更前のチャンネル定義データ１２４の一例を示す図である。
【００５１】
チャンネル定義データ１２４の項目としては、例えば、「地方名」、「都道府県名」、「都市名」、リモコン２１０のボタンと対応した論理チャンネル番号を示す「リモコンボタン」、「放送局名」、実際に放送を受信する際の識別番号を示す「物理チャンネル番号」、物理チャンネル番号と対応した「表示番号」等が該当する。
【００５２】
なお、図６に示す例は、ユーザーが愛媛県の松山市で設定したチャンネル定義データ１２４の一例を示す。
【００５３】
次に、チャンネル変更通知手順について説明する。
【００５４】
図７は、本実施例におけるチャンネル変更通知手順を示すフローチャートである。
【００５５】
判定部１５２は、電圧供給部からの情報に基づき、電源がＯＮになったかどうかを判定する（ステップＳ１１）。
【００５６】
電源がＯＮになったと判定した場合、判定部１５２は、チャンネル定義データ１２４に定義された各物理チャンネル番号の放送が、インターフェース部１１０を介してアンテナ２２０から受信可能かどうかを判定する（ステップＳ１２）。
【００５７】
受信不可のチャンネルがある場合、通知情報生成部１７０は、ユーザーにチャンネル再設定の必要性を通知するための通知情報を生成し、表示部１９０は、当該通知情報に基づき、通知画像を表示することによってユーザーにチャンネル再設定の必要性を通知する（ステップＳ１３）。
【００５８】
図８は、本実施例における通知画像４００の他の一例を示す図である。
【００５９】
通知画像４００は、「現在、引っ越し等により、受信できないチャンネルがあります。チャンネルの再設定を行いますか？」といったチャンネルの再設定をユーザーに促す文字列を示す文字列画像４０２と、再設定を行うことを指示するためのボタン画像４０４、再設定を行わないことを指示するためのボタン画像４０６を含む。
【００６０】
ユーザーは、リモコン２１０を操作してボタン画像４０４またはボタン画像４０６を選択し、リモコン２１０の決定ボタンを押す。
【００６１】
リモコン２１０の操作情報はインターフェース部１１０に入力され、判定部１５２は、リモコン２１０の操作情報に基づき、再設定指示があったかどうかを判定する（ステップＳ１４）。
【００６２】
再設定指示があった場合、更新部１６０は、リモコン２１０の論理チャンネル番号と物理チャンネル番号の対応付けを示す操作情報に基づき、チャンネル定義データ１２４を更新する（ステップＳ１５）。
【００６３】
図９は、本実施例における変更後のチャンネル定義データ１２４の一例を示す図である。
【００６４】
例えば、ユーザーが、愛媛県松山市から長野県松本市に引っ越した場合、ＴＶ１０２は、８チャンネルに定義されていた物理チャンネル番号２９の「Ｉテレビ」を受信できなくなる。
【００６５】
ユーザーは、手動でチャンネルの再設定を行うか、あるいは、都市名を選択して自動でチャンネルの再設定を行うことにより、チャンネル定義データ１２４を更新し、自分の住んでいる地域に応じたチャンネルを受信することができる。
【００６６】
以上のように、本実施例によれば、ＴＶ１０２は、チャンネル定義データ１２４にあるチャンネルの放送を受信できない場合にチャンネル設定操作をユーザーに促す画像を表示することにより、設置環境に関連する画像を表示することができる。これにより、ＴＶ１０２に詳しくないユーザーであっても、容易にチャンネルの再設定を行うことができる。
【００６７】
また、本実施例によれば、ユーザーは、チャンネル定義データ１２４にあるチャンネルの放送を受信できない場合には即座にチャンネル再設定を促されることにより、よりスムーズにチャンネル定義データ１２４を更新し、適切に放送を受信することができる。
【００６８】
また、本実施例によれば、ＴＶ１０２は、電源がＯＮになった場合に図７に示すチャンネル設定に関する判定を行うことにより、設置環境が変化した場合に、当該変化を検出し、当該変化に関連する画像を表示することができる。
【００６９】
（その他の実施例についての説明）
なお、本発明の適用は上述した実施例に限定されず、種々の変形が可能である。
【００７０】
例えば、図３では、接続端子の判定（ステップＳ２）後に映像信号の種別の判定（ステップＳ３）が行われているが、この順序は逆でもよい。
【００７１】
また、最適端子判定部１５０は、上述した実施例では、電源投入と信号種別変化の両方を判定しているが、いずれか一方のみを判定してもよい。
【００７２】
また、表示装置１００に関する実施例では、映像信号の接続端子について説明されているが、表示装置１００は、音声信号の接続端子についてもより適切な接続端子がある場合に通知してもよい。また、通知情報生成部１７０は、より適切な接続端子として複数の接続端子（例えば、コンポーネント端子とＤ端子等）を通知してもよい。
【００７３】
また、最適端子判定部１５０は、信号が入力される場合だけでなく、信号が出力される場合にも適切な接続端子を判定してもよい。具体的には、例えば、受信した映像データを外部機器２００に出力する場合にも本発明は有効である。
【００７４】
また、例えば、ＴＶ１０２に関する実施例はアナログ放送を受信する例であるが、デジタル放送を受信する場合にも本発明を適用可能である。
【００７５】
また、上述した実施例では、表示部１９０が画像で通知しているが、音声出力部１９２が音声で通知してもよいし、表示部１９０と音声出力部１９２の両方が通知してもよい。
【図面の簡単な説明】
【００７６】
【図１】本実施例における表示装置の機能ブロック図である。
【図２】本実施例における最適端子定義データの一例を示す図である。
【図３】本実施例における最適端子通知手順を示すフローチャートである。
【図４】本実施例における通知画像の一例を示す図である。
【図５】本実施例におけるＴＶの機能ブロック図である。
【図６】本実施例における変更前のチャンネル定義データの一例を示す図である。
【図７】本実施例におけるチャンネル変更通知手順を示すフローチャートである。
【図８】本実施例における通知画像の他の一例を示す図である。
【図９】本実施例における変更後のチャンネル定義データの一例を示す図である。
【符号の説明】
【００７７】
１００  表示装置、１１２  接続端子群、１２０  記憶部、１２２  最適端子定義データ、１２４  チャンネル定義データ、１３０  接続端子判定部、１４０  信号種別判定部、１５０  最適端子判定部、１５２  判定部、１６０  更新部、１７０  通知情報生成部、１９０  表示部、１９２  音声出力部、２００  外部機器
【図１】
2008028976.tif 000003
【図２】
2008028976.tif 000004
【図３】
2008028976.tif 000005
【図４】
2008028976.tif 000006
【図５】
2008028976.tif 000007
【図６】
2008028976.tif 000008
【図７】
2008028976.tif 000009
【図８】
2008028976.tif 000010
【図９】
2008028976.tif 000011